(57)【要約】【課題】多くの遊技球が貯留されても、それら下流側の遊技球に掛かる球圧を軽減させることにより、途中で遊技球の球噛み現象の生ずるのを防いで、遊技球が球通孔から球発射部に支障なく供給されるようにした遊技機を提供する。【解決手段】開閉部材１３の前面に球受皿１４が装着され、該球受皿１４はその球皿部２２の底壁上面が開閉部材１３に沿って一方へ下傾しており、開閉部材１３には球皿部２２の上流側に球払出口１５が設けられると共に下流端には球通孔１６が設けられ、球皿部２２の底壁上面にその前端縁から開閉部材１３側へ伸びる仕切り壁２５を突設し、仕切り壁２５は、その先端部２５ａが球払出口１５よりも下流側であって開閉部材１３から所定の間隔離れ、かつ、その基端部２５ｂが先端部２５ａより下流側にあり、仕切り壁２５と球皿部２２の前端縁との間に底壁上面が球皿部２２の上流側へ向かって緩やかに下傾し底壁上面と連なる球留り部２６を形成した。【選択図】図２
2009028404.tif 000002
【特許請求の範囲】
【請求項１】
開閉部材の前面に打球発射部へ供給される遊技球を貯留する球受皿が装着され、前記球受皿はその球皿部の底壁上面が前記開閉部材に沿って一方へ下傾しており、前記開閉部材には前記球皿部の上流側に貸し球または景品球を払い出す球払出口が設けられると共に該球皿部の下流端に前記打球発射部へ遊技球を供給するための球通孔が設けられる遊技機であって、
前記球皿部の底壁上面にその前端縁から前記開閉部材側へ伸びる仕切り壁を突設し、前記仕切り壁は、その先端部が前記球払出口よりも下流側であって前記開閉部材から所定の間隔離れ、かつ、その基端部が前記先端部より下流側にあり、前記仕切り壁と前記球皿部の前端縁との間に底壁上面が球皿部の上流側へ向かって緩やかに下傾し該底壁上面と連なる球留り部を形成し、前記球払出口から払い出された遊技球が前記球留り部で一時的に貯留されるようにしたことを特徴とする遊技機。
【発明の詳細な説明】
【技術分野】
【０００１】
本発明は、遊技盤が大きく形成され、これに伴いその遊技機の前面に装着される球受皿が小さくなっても、その中に貯留される遊技球が球詰まりを起こすことのないようにした遊技機に関するものである。
【背景技術】
【０００２】
従来、遊技機の一種であるパチンコ遊技機にあっては、その後側に装着された球払出装置から払い出される貸し球または景品球としての遊技球を、開閉部材に設けられた球払出口を介して球受皿に貯留すると共にそれら遊技球を開閉部材に開設された球通孔を介して発射レールの打球発射部に供給するようにしている。そして、打球発射部に位置する遊技球を打球槌により一個ずつ打撃して遊技盤面に飛翔させる。前記球払出口は球皿部の上流側に位置し、その前側の球皿部が広く形成されている。また、球皿部の下流側は球通孔に進むに従い幅が漸次狭められ、最終的に遊技球を一列に並べて流下させる程度に狭められる（例えば、特許文献１参照。）。
【０００３】
【特許文献１】特開２００１−３００００９号公報（第３−５頁、図１、図４）
【発明の開示】
【発明が解決しようとする課題】
【０００４】
ところで、近時、遊技盤の大型化が主流をなしており、これに伴い内側ガイドレールや外側ガイドレールも必然的にその曲率半径が大きくなっている。このように外側ガイドレールの曲率半径が大きくなると、その基端部が遊技盤面を正面から見て従来よりも左側へ寄り、これに伴い発射レールも従来の位置からずれて左側へ寄る。この結果、開閉部材における球払出口の位置は従来の位置と変わりないことから、該球払出口と球通孔との間隔が短くなり、球受皿もその分小型化する。
【０００５】
このような小型化された球受皿に一度に多くの遊技球が貯留された場合、幅の狭められた下流側へ一度に多くの遊技球が流れ込もうとし、それらの球圧が一箇所に集中的に掛かる。そして、その部位で互いに重なり合う遊技球同士のバランスが保たれて球噛み現象を起こし易い。球噛み現象が生ずると、遊技球が詰まって球通孔側へ流下しなくなり、遊技に支障を来たすことになる。
【０００６】
そこで、本発明は上記課題を解決すべくなされたもので、多くの遊技球が貯留されても、それら下流側の遊技球に掛かる球圧を軽減させることにより、途中で遊技球の球噛み現象の生ずるのを防ぎ、遊技球が球通孔から打球発射部に支障なく供給されるようにした遊技機を提供することを目的とするものである。
【課題を解決するための手段】
【０００７】
かかる目的を達成するため本発明に係る遊技機は、開閉部材の前面に打球発射部へ供給される遊技球を貯留する球受皿が装着され、前記球受皿はその球皿部の底壁上面が前記開閉部材に沿って一方へ下傾しており、前記開閉部材には前記球皿部の上流側に貸し球または景品球を払い出す球払出口が設けられると共に該球皿部の下流端に前記打球発射部へ遊技球を供給するための球通孔が設けられる遊技機であって、前記球皿部の底壁上面にその前端縁から前記開閉部材側へ伸びる仕切り壁を突設し、前記仕切り壁は、その先端部が前記球払出口よりも下流側であって前記開閉部材から所定の間隔離れ、かつ、その基端部が前記先端部より下流側にあり、前記仕切り壁と前記球皿部の前端縁との間に底壁上面が球皿部の上流側へ向かって緩やかに下傾し該底壁上面と連なる球留り部を形成し、前記球払出口から払い出された遊技球が前記球留り部で一時的に貯留されるようにしたことを特徴とする。
【発明の効果】
【０００８】
本発明に係る遊技機は、球皿部の底壁上面にその前端縁から開閉部材側へ伸びる仕切り壁を突設し、該仕切り壁は、その先端部が球払出口よりも下流側であって開閉部材から所定の間隔離れ、かつ、その基端部が先端部より下流側にあり、仕切り壁と球皿部の前端縁との間に底壁上面が球皿部の上流側へ向かって緩やかに下傾し底壁上面と連なる球留り部を形成している。そして、前記球払出口から払い出された遊技球が球留り部で一時的に貯留されるようにしたので、球皿部に多くの遊技球が貯留されても、下流側の遊技球に掛かる球圧が軽減される。これにより、球皿部の遊技球は球噛み現象を起こすことなく常に下流側へ安定して流下し、遊技に支障を来たすことがなくなるという効果がある。
【発明を実施するための最良の形態】
【０００９】
以下、本発明に係る遊技機の実施の形態を図面に基づき説明する。なお、遊技機には、例えば、パチンコ遊技機、アレンジボール機、雀球遊技機、パロット（登録商標）機等が有るが、その内、パチンコ遊技機について説明する。図１は、本発明に係るパチンコ遊技機の正面図である。該パチンコ遊技機Ｐは、外側に縦長長方形状の外枠１を有し、その前面に内枠（図示せず。）がその一側を支点として開閉自在に装着され、該内枠に遊技盤２が設置される。
【００１０】
前記遊技盤２の前面に、内側・外側ガイドレール３ａ，３ｂにより囲われるようにして遊技部２ａが形成される。該遊技部２ａの中央に、例えば数字、図柄等の情報を変動表示する表示部４を備えた可変表示装置５、その下方に位置して遊技球の入賞により前記情報を変動させる始動入賞口６が装着されている。また、その下方には、前記可変表示装置５の表示部４の情報が停止し、特定の表示（例えば、「７７７」）に揃ったとき、一定の条件の下で一度に多くの賞球としての遊技球が得られる入賞装置７が装着されている。可変表示装置５の両側下方に一般入賞口８，８が配置され、内側ガイドレール３ａの内側下端には、遊技部２ａに打ち込まれた遊技球であって入賞しなかった遊技球、所謂アウト球をパチンコ遊技機Ｐの外部に排出するためのアウト球口９が設けられる。
【００１１】
また、内枠の前面上部に、前記遊技盤２の前面を覆う開閉部材としての透明板保持枠１０が開閉自在に装着される。該透明板保持枠１０には、その中央部に前記遊技盤２の遊技部２ａが臨む窓開口１１が開設され、該窓開口１１に透明な合成樹脂板またはガラス板を複層に重ねた透明板ユニット１２が装着される。そして、該透明板ユニット１２を介してその前側から前記遊技部２ａが視認できるようになっている。
【００１２】
透明板保持枠１０の下方であって内枠前面に、開閉部材としての前板１３が開閉自在に装着される。該前板１３の前面には、パチンコ遊技機Ｐの後側に装着された球払出装置（図示せず。）から払い出される貸し球または賞球としての遊技球を貯留しかつ打球発射部（図示せず。）へ供給するための上部の球受皿１４が装着される。また、図２に示すように上部の球受皿１４の上流側であって前板１３に、前記球払出装置から払い出される遊技球を上部の球受皿１４に排出する球払出口１５が設けられ、上部の球受皿１４の下流端に対向位置して該上部の球受皿１４から流入する遊技球を打球発射部に供給するための球通孔１６が開設されている。
【００１３】
前板１３の下方であって内枠前面に、開閉部材としての下部前板１７が開閉自在に装着される。該下部前板１７の前面に、前記上部の球受皿１４から溢れた遊技球を貯留する下部の球受皿１８が装着される。この下部前板１７には、下部の球受皿１８の一側に灰皿１９が装着され、下部の球受皿１８の他側に打球発射部から発射される遊技球の打球力を調節するための打球力調整ハンドル２０が装着されている。
【００１４】
次に、上部の球受皿１４について説明する。図３は上部の球受皿の斜視図、図４は同背面図、図５は図４のＸ−Ｘ線断面図である。上部の球受皿１４は、前側を湾曲する前側壁２１により囲われ、前板１３の前面が当接する後端縁が開放されている。そして、前側壁２１により囲われて遊技球を貯留する球皿部２２が形成される。該球皿部２２は後端縁すなわち前板１３に沿って一方へ緩やかに下傾しており、しかも、上流側の球払出口１５に対応する部位は広い。一方、下流端の球通孔１６に対応する部位へ進むに従い漸次幅が狭められ、最終的に下流端側には遊技球が一列に並んで流下する整流部２３が設けられる。該整流部２３には、その流下端の球通孔１６に至る底面に帯状の金属板２４が貼着されている。
【００１５】
そして、図２に示すように上部の球受皿１４における球皿部２２の底壁上面に、その前端縁である前側壁２１から前板１３側へ伸びる仕切り壁２５が上方へ突設される。該仕切り壁２５は平面略Ｓの字状をしており、遊技球の直径寸法と同じ程度の高さを有する。また、その先端部２５ａが球払出口１５よりも下流側であって前板１３前面から所定の間隔、例えば遊技球の直径寸法の２．５倍程度離れており、かつ、その基端部２５ｂが前記先端部２５ａより下流側にある。これにより、仕切り壁２５と球皿部２２の前端縁、すなわち前側壁２１との間に、底壁上面が球皿部２２の上流側へ向かって緩やかに下傾し底壁上面と連なる球留り部２６が形成される。
【００１６】
本発明に係るパチンコ遊技機Ｐは上記構成からなり、遊技中に例えば大当り状態になると、多くの入賞球が発生する度に球払出装置から所定量の賞球としての遊技球が球払出口１５から上部の球受皿１４の球皿部２２に払い出され、その球皿部２２に貯留される。そして、その一部は下流側の整流部２３に達してそこで一列に並び、その他は球払出口１５と対向位置する球留り部２６に貯留される。このように、球皿部２２に遊技球がいっぱい溜っても、球留り部２６により一部の遊技球が一時的に貯留され、しかも、これら遊技球の球圧は仕切り壁２５により支えられることになり、下流側の遊技球にそれら球圧が加わることがない。よって、下流側の遊技球に掛かる球圧が軽減され、球皿部２２に貯留される遊技球の球噛み現象が生ずることがなく、常に下流側へ安定して流下することとなり、遊技に支障を来たすおそれはない。
【００１７】
球皿部２２における底壁上面の遊技球が少なくなってくると、図２の矢視に示すように球留り部２６に貯留されていた遊技球は前板１３側へ導かれ、仕切り壁２５の先端部２５ａと前板１３の前面との間から下流側へ流れ、整流部２３に集まる。これら遊技球は球通孔１６を介して発射レールの打球発射部へ導かれることになる。
【００１８】
なお、本発明にあっては、開閉部材として前板１３について説明したが、他に例えば前板１３更には下部前板１７が一体に成形された透明板保持枠１０、または前板１３と下部前板１７とが一体になったものについても本発明が適用できることは勿論である。また、本発明は上部の球受皿１４について説明したが、一つ皿の遊技機においてもその一つ皿に適用できる。
【図面の簡単な説明】
【００１９】
【図１】本発明に係るパチンコ遊技機の正面図。
【図２】前板に装着された球受皿の平面図。
【図３】球受皿の斜視図。
【図４】同背面図。
【図５】図４のＸ−Ｘ線断面図。
【符号の説明】
【００２０】
１３          開閉部材（前板）
１４          上部の球受皿
１５          球払出口
１６          球通孔
２２          球皿部
２５          仕切り壁
２５ａ        先端部
２５ｂ        基端部
２６          球留り部
Ｐ            遊技機（パチンコ遊技機）
【図１】
2009028404.tif 000003
【図２】
2009028404.tif 000004
【図３】
2009028404.tif 000005
【図４】
2009028404.tif 000006
【図５】
2009028404.tif 000007